(57)【特許請求の範囲】
【請求項１】
筒部２の下端部を、外気置換が不能な程度に小径化したノズル孔を有するノズル筒３に形成すると共に、筒部２の中間部からは前後ないし左右反対方向へ指当て用係止板４，４を外方突設した、筒部２上端面開口の容器本体１と、上記ノズル筒３へ着脱自在に嵌合させたノズルキャップ10と、上記筒部２の上端部へ嵌着させて、筒部２の上端開口面を頂板12で閉塞する押釦状キャップ11とからなり、上記押釦状キャップ11の頂板12は、容器本体１内方への押圧により弾性に抗し弯曲して、容器本体１内を加圧可能に形成し、上記押釦状キャップ11を、頂板12を形成するドーム状部下端から短筒13を垂下し、かつドーム状部下端に外向きフランジ14を付設して、該外向きフランジ14外周で嵌合筒15を吊持ちさせて形成し、上記外向きフランジ14を筒部２の上端面へ載置させると共に、短筒13と外向きフランジ14下方の嵌合筒15部分とを筒部２の上部内外面へそれぞれ嵌合させ、嵌合筒15上端面を頂板12の上面以上の高さまで起立させたことを特徴とする液体注出容器。
【請求項２】
上記指当て用係止板４よりも上方筒部分の上半部を、係止板下方筒部分よりも大径筒部７に形成したことを特徴とする、請求項１記載の液体注出容器。
【発明の詳細な説明】
【０００１】
【発明の属する技術分野】
本発明は液体注出容器に関する。
【０００２】
【従来の技術】
例えば目薬用の液体注出容器にあっては、底壁外周から弾性圧搾可能な胴部を介して小外径のノズル筒を起立する容器本体を設け、該容器本体胴部の圧搾によりノズル筒から収納液体を滴下するよう設けている。
【０００３】
【発明が解決しようとする課題】
近時薬液、ないし液体化粧料等の新しい使用方法が考えられており、その関係から一回の注出操作によって小量で、しかもほぼ定量の液体を確実に注出することの出来る容器が求められている。
【０００４】
本発明はそのような要望に応ずるべく発明されたものである。
【０００５】
第１の手段として、筒部２の下端部を、外気置換が不能な程度に小径化したノズル孔を有するノズル筒３に形成すると共に、筒部２の中間部からは前後ないし左右反対方向へ指当て用係止板４，４を外方突設した、筒部２上端面開口の容器本体１と、上記ノズル筒３へ着脱自在に嵌合させたノズルキャップ10と、上記筒部２の上端部へ嵌着させて、筒部２の上端開口面を頂板12で閉塞する押釦状キャップ11とからなり、上記押釦状キャップ11の頂板12は、容器本体１内方への押圧により弾性に抗し弯曲して、容器本体１内を加圧可能に形成した。
【０００６】
第２の手段として上記第１の手段を有すると共に上記指当て用係止板４よりも上方筒部分の上半部を、係止板下方筒部分よりも大径筒部７に形成した。
【０００７】
第３の手段として上記第１又は第２の手段を有すると共に上記押釦状キャップ11を、頂板12を形成するドーム状部下端から短筒13を垂下し、かつドーム状部下端に外向きフランジ14を付設して、該外向きフランジ14外周で嵌合筒15を吊持ちさせて形成し、上記外向きフランジ14を筒部２の上端面へ載置させると共に、短筒13と外向きフランジ14下方の嵌合筒15部分とを筒部２の上部内外面へそれぞれ嵌合させ、嵌合筒15上端面を頂板12の上面以上の高さまで起立させた。
【０００８】
【発明の実施の形態】
本発明の液体注出容器は、容器本体とノズルキヤップと押釦状キヤップとからなる。
【０００９】
容器本体１は、筒部２の下端部を小外径のノズル筒３に形成すると共に、筒部２の中間部からは、前後ないし左右反対方向へ指当て用係止板４，４を外方突出し、又筒部上端面を開口するものである。上記係止板４は強度を高めるため図示のように筒部中間部に外向きフランジ状部５を付設して該外向きフランジ状部を介して突出させることが望ましい。係止板上方の筒部分は下半を上方大径のテーパ状部６となし、又上半をそのテーパ状部上端と同径とし連続して大径筒部７として起立している。図示例では後述の押釦状キヤップ嵌合のため、上向き段部８を介してその上方筒部分を小外径となし、かつその小外径部分下方に係合手段としての係止突条９を周設している。
【００１０】
10はノズルキヤップで、底板外周から起立する周壁を、既述ノズル筒３外面に螺合させて着脱自在に嵌合させている。
【００１１】
11は押釦状キヤップで、筒部２の上端部に嵌着させて設ける。該キャップの頂板12は容器本体内方への押圧により弾性に抗し弯曲して、容器本体内を加圧可能とする。図示例では頂板12をドーム状部となし、その下端から短筒13を垂下し、かつドーム状部下端に外向きフランジ14を付設して、該外向きフランジ外周で嵌合筒15を吊持ちさせて形成し、上記外向きフランジ14を筒部２の上端面へ載置させると共に、短筒13と外向きフランジ下方の嵌合筒部分とを筒部２の上部内外面へそれぞれ嵌着させている。又嵌合筒15上端面は上記ドーム状部の上面よりも僅かに高く形成している。
【００１２】
該押釦状キヤップはエラストマーないしゴム等の弾性樹脂材で形成することが望ましい。
【００１３】
上記構成において、予め容器本体１内へ液体を入れておき、使用の際はノズルキャップ10を外し、一方の手の指、具体的には人指し指と中指との間に、係止板４，４直ぐ下方の筒部分を挟み、かつそれ等指を係止板４下面に当てて容器を持ち、該状態から押釦状キヤップ11の頂板12を拇指で押込めばよい。該押込みにより容器本体内は加圧され、該加圧により収納液をノズルから注出できる。上記頂板押込みを常に下限まで行うことで定量注出を行うことが出来る。
【００１４】
頂板押込み後に指を離せば頂板12が弾性復帰し、該弾性復帰による容器本体内容量の拡大で外気が吸入され、容器本体内の負圧状態が解消する。尚ノズルの孔径を該ノズル孔を通っての外気置換が不能な程度に小径化しておくことで、ノズルキャップ10を外しただけでは、そのノズル孔を通って収納液が洩れないようにすることが出来る。
【００１５】
【発明の効果】
本発明は既述構成とするもので、既述のように操作することで、片手操作により少量かつほぼ定量の液体注出を行うことが出来る。又筒部２の中間部から反対方向へ指当て用の係止板４，４を突出させて、それ等両係止板４，４下面へ指を当てた状態で筒部２上端面を閉塞する押釦状キャップ11の頂板12を押下げして液体注出できるよう設けたから、上記頂板12の押下げ時に筒部２が手から滑ってその押下げが不確実となることがない。
【００１６】
第２の手段のように、指当て用係止板４よりも上方筒部分の上半部を、係止板下方筒部分よりも大径に形成することで、その下方筒部分を指間に挟み易く、しかも上記上半部を大径として容器本体の容量を適当量に定め、更に押釦状キャップ11の頂板12を、指で容易に押込みできる程度に大径化できる。
【００１７】
第３の手段のように押釦状キャップ11の頂板12をドーム状部とすることで、該頂板12を下限まで押下げて弾性変形させることが容易であり、又その下限位置からのドーム状をした頂板12の弾性復元も容易である。従って、頂板12を常に下限まで押下げし、かつ弾性復元させることで、注出される液体量をほぼ定量化することが出来る。又嵌合筒15上端面を頂板12の上面以上の高さとすることで、その嵌合筒15上端面が保護筒の機能を果たし、頂板12が不用意に他物に接して押下げられ、液体注出することを防止できる。
【図面の簡単な説明】
【図１】  本発明容器の半断面図である。
【図２】  図１容器の平面図である。
【符号の説明】
２…筒部                    ３…ノズル筒
４…係止板                  10…ノズルキャップ
11…押釦状キャップ          12…頂板
【図１】
0004379648.tif 000002
【図２】
0004379648.tif 000003